(57)【要約】【課題】箔を使用した立体感のある装飾で、星占いの星座が描かれているしおりを提供する。【解決手段】所定形状にカットされた透明シート１２と、透明シート１２の一方の面に所望の形状にインキが印刷された印刷部１４と、印刷部１４に重ねて張り付けられた箔１８を備える。印刷部１４又は箔１８は、星占いの１２星座のうちの一つまたは適宜の星座示す文字、イラスト等である。印刷部１４に重ねられた箔１８は、エンボス調に形成されている。【選択図】図１
0003126733.tif 000002
【実用新案登録請求の範囲】
【請求項１】
所定形状にカットされた透明シートと、前記透明シートの一方の面に所望の形状にインクが印刷された印刷部と、前記透明シートの前記印刷部に重ねて張り付けられた箔が設けられていることを特徴とするしおり。
【請求項２】
前記印刷部に前記箔が転写され、前記印刷部は星占いの星座を示す図柄が設けられていることを特徴とする請求項１記載のしおり。
【請求項３】
前記図柄は、星図、文字、イラストであり、前記印刷部に重ねられた前記箔は、エンボス調に形成されたことを特徴とする請求項２記載のしおり。
【請求項４】
前記しおりは、複数個が一組にされ、前記複数個のしおりには星占いの１２星座の少なくとも一部の図柄が、互いに色やデザインを異なるものにして設けられていることを特徴とする請求項３記載のしおり。
【考案の詳細な説明】
【技術分野】
【０００１】
この考案は、本のページの間に挟んで目印にするしおりに関する。
【背景技術】
【０００２】
従来、本の読みかけたページや、重要なページに挟んで目印にするしおりは、紙等の薄いシートを所定形状にカットして作られていた。しおりには、定規やルーペ等の機能を持たせたものもあった。また、特許文献１に開示されている金属箔カード又はしおりは、製品の外縁部分にまで金属箔を取り付けて、高級感を出したものである。これは、表面に絵又は文字が印刷された透明樹脂基板の裏面に、順に、接着剤層、金属箔層、コ−ティング層を形成した後、任意の形状に裁断して作られている。
【特許文献１】実用新案登録第３１００６８２号公報
【考案の開示】
【考案が解決しようとする課題】
【０００３】
上記従来の技術の場合、しおりにいろいろな機能を持たせたり、装飾を施したりするものがあるが、星占いの１２星座のように、個人の誕生日に基づいて特定された項目を描いたものは無かった。また、特許文献１のように、しおりに箔を平面的に取り付けるものはあるが、箔の表面に立体感があるものでは無かった。箔に立体感を出すために箔の表面を実際に立体的に形成する方法があるが、しおりは本に挟んで使用することから、箔の表面に凹凸をつけずに薄型で立体感を出す工夫が求められていた。
【０００４】
この考案は、上記従来の技術の問題点に鑑みてなされたものであり、箔を使用した立体感のある装飾で、星占いの星座が描かれているしおりを提供することを目的とする。
【課題を解決するための手段】
【０００５】
本考案は、所定形状にカットされた透明シートと、前記透明シートの一方の面に所望の形状にインクが印刷された印刷部と、前記透明シートの前記印刷部に重ねて張り付けられた箔が設けられているしおりである。
【０００６】
また、前記印刷部に前記箔が転写され、前記印刷部又は前記箔は、星占いの１２星座のうちの一つまたは適宜の星座示す図柄が設けられている。星座を示す図柄は、星図、文字、イラスト等である。また、前記印刷部に重ねられた前記箔は、エンボス調に形成され、立体的に見えるものである。
【０００７】
また、前記しおりは、複数個、例えば２個が一組にされ、前記複数個のしおりには星占いの１２星座の図柄が、互いに色やデザインを異なるものにして設けられている。
【考案の効果】
【０００８】
本考案のしおりは、星占いの星座が描かれ、個人の誕生日に基づいて特定された星座が描かれたものを、利用者に配ることができる。星座を示す図柄は、箔を使用した立体感のある装飾で、表面と裏面の両方から見ても外観が良好であり意匠性が高く、しかも凹凸がほとんどないことから厚くなることがない。また薄型であるため、本のページに隙間無く確実に挟むことができる。
【考案を実施するための最良の形態】
【０００９】
以下、この考案の実施形態について図面に基づいて説明する。図１、図２はこの考案の第一実施形態を示すもので、この実施形態のしおり１０の基材は、樹脂製の透明シート１２である。透明シート１２は、例えば肉厚０．１〜３．０ｍｍ程度のもので、材質は、ポリ塩化ビニル、ポリエチレンテレフタレート、ポリプロピレン、ポリスチレン、ポリカーボネート、ポリエチレン等を用いることができる。透明シート１２は一方向に長い矩形に形成されている。
【００１０】
図１(ａ)は、しおり１０の、透明シート１２の表面１２ａから見た状態を示し、図１（ｂ）は、透明シート１２の裏面１２ｂから見た状態を示している。透明シート１２の裏面１２ｂには、透明シート１２の長手方向の一方の端部１２ｃ寄りの位置に、印刷部１４が設けられている。印刷部１４は、ドーナツ型に配置された１２星座のマークの中心に、いて座のイラストが設けられた絵柄が印刷されて形成されている。透明シート１２の他方の端部１２ｄ寄りの位置には、いて座の文字が日本語で印刷され、英語の文字が金属箔の箔押しにより表示された箔押し部１６が設けられている。印刷部１４のインキは、例えば紫外線硬化樹脂で作られている。印刷部１４のさらに外側面には、印刷部１４を覆って重ねられた円形の箔１８により箔押し部が設けられている。
【００１１】
透明シート１２の表面１２ａには、透明シート１２の長手方向のほぼ中心付近に、いて座の星図が金属箔により形成された箔押し部２０が設けられている。さらに、表面１２ａ一面を覆って、見る角度により色が異なって見える薄いフィルムが貼り付けられている。箔押し部２０は正面に位置して見え、それに加えて透明シート１２を透過して、箔押し印刷部１４、箔押し部１６、箔１８が視認される。
【００１２】
透明シート１２の裏面１２ｂからは、裏面１２ｂに設けられた箔１８と箔押し部１６が正面に位置して見え、それに加えて透明シート１２を透過して箔押し部２０が視認される。印刷部１４は箔１８に覆われて裏面１２ｂから見えないが、箔１８の、印刷部１４に重ねられている部分はエンボス部１８ａとなり、エンボス部１８ａは印刷部１４のインキの影響で箔１８に光の反射の具合で凹凸が形成され、立体的でエンボス調に見える。箔１８の、エンボス部１８ａ以外の部分は、箔１８が透明シート１２に転写された光沢部１８ｂとなり、凹凸がなくて光沢度が高く、エンボス部１８ａとのコントラストが大きい。
【００１３】
次に、この実施形態のしおり１０の作り方について説明する。まず、透明シート１２の表面１２ａと裏面１２ｂに、紫外線硬化樹脂で作られたインキで所望の絵柄を印刷し、紫外線照射によりインキを硬化させて印刷部１４等を形成する。インキの紫外線硬化樹脂の種類は、透明シート１２への接着性が良好なものを選択する。そして、透明シート１２の表面１２ａに箔押し部２０を形成し、透明シート１２の裏面１２ｂに、印刷部１４を覆うように重ねて箔１８を貼り付ける。また、箔押し部１６を形成する。箔押し部１６，２０および箔１８の形成方法は、転写箔を使用する。転写箔は、あらかじめ金属箔に接着剤２２が設けられ剥離シートが取り付けられたものである。接着剤２２は、塩化ビニル系またはアクリル系の透明なものである。この転写箔を所定の位置にセットして型を用いて熱圧着し、接着剤２２により透明シート１２に熱転写により貼り付け、箔押し部１６，２０、及び箔１８を転写する。また、表面１２ａには、薄いフィルムを貼り付ける。
【００１４】
この実施形態のしおり１０によれば、星占いの１２星座のうちの一つが描かれ、個人の誕生日に基づいて特定された星座が描かれたものを、利用者に配ることができる。この実施形態のしおり１０にはいて座が描かれているが、１２星座の他の星座も同様に作り、利用者の誕生日に該当する星座を選択することができる。また、印刷部１４は星座のイラストが設けられているため、箔１８の光沢により高級感や神秘的な雰囲気を演出し効果的である。印刷部１４は、透明シート１２の表面１２ａから見たときは箔１８の光沢が背景に重ねられ、裏面１２ｂから見たときは箔１８のエンボス部１８ａとして立体的に見え、裏面１２ｂと表面１２ａでは異なる印象となり、意匠性の高い表現が可能になる。箔１８の光沢部１８ｂは、凹凸がないため、光沢度が高い光沢面となり、エンボス部１８ａとのコントラストが高く、高級感がある。またしおり１０は薄型であるため、本のページに隙間無く確実に挟むことができる。そして、しおり１０は簡単な方法により安価に製造することができ、記念品や景品としても適している。
【００１５】
次にこの考案の第二実施形態について図３に基づいて説明する。なお、ここで、上記実施形態と同様の部材は同様の符号を付して説明を省略する。この実施形態のしおり２４の基材は透明シート１２であり、一方向に長い矩形に形成されている。
【００１６】
透明シート１２の表面１２ａには黒いインキ層２６が印刷され、透明シート１２の長手方向の一方の端部１２ｃ寄りの位置には、第一実施形態よりも大きいドーナツ型に配置された１２星座のマークの中心に、いて座のデザインが設けられた絵柄の白抜き部２８が設けられている。さらに、インキ層２６には、光沢がある金属粉が均一に分散している。インキ層２６の、透明シート１２の他方の端部１２ｄ寄りの位置には、いて座の文字が記された印刷部２９と、いて座の星図が描かれた箔押し部３０およびいて座の英語表記が描かれた箔押し部３２が設けられている。
【００１７】
透明シート１２の裏面１２ｂには、表面１２ａの白抜き部２８に対向する部分に円形の箔３４が貼り付けられている。箔３４の貼り付け方法は、転写箔を使用する。
【００１８】
図３（ａ）は、しおり２４の、透明シート１２の表面１２ａから見た状態を示している。ここでは、表面１２ａに設けられたインキ層２６と、インキ層２６表面に設けられた印刷部２９と箔押し部３０，３２は正面に位置して見え、それに加えてインキ２６の白抜き部２８から透明シート１２を透過して箔３４が視認される。
【００１９】
図３（ｂ）は、しおり２４の、透明シート１２の裏面１２ｂから見た状態を示している。ここでは、黒いインキ２６が透明シート１２を透過して見え、そこに箔３４が正面に位置して見える。
【００２０】
この実施形態のしおり２４によれば、星占いの１２星座のうちの一つが描かれ、個人の誕生日に基づいて特定された星座が描かれたものを、利用者に配ることができる。裏面１２ｂと表面１２ａでは異なる印象となり、特に表面１２ａから見ると白抜き部２９から箔３４が視認され、意匠性の高い表現が可能になる。黒いインキ層２６に金属粉が分散しているため、星等を連想させて白抜き部２８の絵柄に合い、強い印象を与えることができる。
【００２１】
なお、この考案のしおりによれば、上記各実施の形態に限定されず、透明シートの形状や大きさ、素材は適宜変更可能であり、各印刷部のインキの素材は、透明シートとの接着性が良好であれば自由に選択可能である。各印刷部のデザインは形状や配置、インキの色等、自由にデザインすることができ、また星座以外のデザインでもよい。しおりは複数枚、例えば２枚を一組にしてパッケージに入れて配布してもよい。このとき、第一実施形態のしおりと第二実施形態のしおりを組み合わせてもよい。
【図面の簡単な説明】
【００２２】
【図１】この考案の第一実施形態のしおりの表面を示す正面図（ａ）と裏面を示す正面図（ｂ）である。
【図２】この実施形態のしおりの部分拡大断面図である。
【図３】この考案の第二実施形態のしおりの表面を示す正面図（ａ）と裏面を示す正面図（ｂ）である。
【符号の説明】
【００２３】
１０  しおり
１２  透明シート
１４  印刷部
１６，２０  箔押し部
１８  箔
２２  接着剤
【図１】
0003126733.tif 000003
【図２】
0003126733.tif 000004
【図３】
0003126733.tif 000005
【手続補正書】
【提出日】平成18年9月4日(2006.9.4)
【手続補正１】
【補正対象書類名】実用新案登録請求の範囲
【補正対象項目名】全文
【補正方法】変更
【補正の内容】
【実用新案登録請求の範囲】
【請求項１】
所定形状にカットされた透明シートの一方の面に、星図の形状にインクが印刷された印刷部を設け、前記透明シートの前記印刷部に重ねて所定形状の箔が貼り付けられたことを特徴とするしおり。
【請求項２】
前記印刷部は星占いの星座を示す図柄が設けられていることを特徴とする請求項１記載のしおり。
【請求項３】
前記図柄は、星図、文字、イラストであり、前記印刷部に重ねられた前記箔は、エンボス調に形成されたことを特徴とする請求項２記載のしおり。
【請求項４】
前記しおりは、複数個が一組にされ、前記複数個のしおりには星占いの１２星座の少なくとも一部の図柄が、互いに色やデザインを異なるものにして設けられていることを特徴とする請求項３記載のしおり。
【手続補正２】
【補正対象書類名】明細書
【補正対象項目名】全文
【補正方法】変更
【補正の内容】
【考案の詳細な説明】
【技術分野】
【０００１】
この考案は、本のページの間に挟んで目印にするしおりに関する。
【背景技術】
【０００２】
従来、本の読みかけたページや、重要なページに挟んで目印にするしおりは、紙等の薄いシートを所定形状にカットして作られていた。しおりには、定規やルーペ等の機能を持たせたものもあった。また、特許文献１に開示されている金属箔カード又はしおりは、製品の外縁部分にまで金属箔を取り付けて、高級感を出したものである。これは、表面に絵又は文字が印刷された透明樹脂基板の裏面に、順に、接着剤層、金属箔層、コ−ティング層を形成した後、任意の形状に裁断して作られている。
【特許文献１】実用新案登録第３１００６８２号公報
【考案の開示】
【考案が解決しようとする課題】
【０００３】
上記従来の技術の場合、しおりにいろいろな機能を持たせたり、装飾を施したりするものがあるが、星占いの１２星座のように、個人の誕生日に基づいて特定された項目を描いたものは無かった。また、特許文献１のように、しおりに箔を平面的に取り付けるものはあるが、箔の表面に立体感があるものでは無かった。箔に立体感を出すために箔の表面を実際に立体的に形成する方法があるが、しおりは本に挟んで使用することから、箔の表面に凹凸をつけずに薄型で立体感を出す工夫が求められていた。
【０００４】
この考案は、上記従来の技術の問題点に鑑みてなされたものであり、箔を使用した立体感のある装飾で、星占いの星座が描かれているしおりを提供することを目的とする。
【課題を解決するための手段】
【０００５】
本考案は、所定形状にカットされた透明シートの一方の面に、星図の形状にインクが印刷された印刷部を設け、前記透明シートの前記印刷部に重ねて所定形状の箔が貼り付けられたしおりである。
【０００６】
また、前記印刷部又は前記箔は、星占いの１２星座のうちの一つまたは適宜の星座示す図柄が設けられている。星座を示す図柄は、星図、文字、イラスト等である。また、前記印刷部に重ねられた前記箔は、エンボス調に形成され、立体的に見えるものである。
【０００７】
また、前記しおりは、複数個、例えば２個が一組にされ、前記複数個のしおりには星占いの１２星座の図柄が、互いに色やデザインを異なるものにして設けられている。
【考案の効果】
【０００８】
本考案のしおりは、星占いの星座が描かれ、個人の誕生日に基づいて特定された星座が描かれたものを、利用者に配ることができる。星座を示す図柄は、箔を使用した立体感のある装飾で、表面と裏面の両方から見ても外観が良好であり意匠性が高く、しかも凹凸がほとんどないことから厚くなることがない。また薄型であるため、本のページに隙間無く確実に挟むことができる。
【考案を実施するための最良の形態】
【０００９】
以下、この考案の実施形態について図面に基づいて説明する。図１、図２はこの考案の第一実施形態を示すもので、この実施形態のしおり１０の基材は、樹脂製の透明シート１２である。透明シート１２は、例えば肉厚０．１〜３．０ｍｍ程度のもので、材質は、ポリ塩化ビニル、ポリエチレンテレフタレート、ポリプロピレン、ポリスチレン、ポリカーボネート、ポリエチレン等を用いることができる。透明シート１２は一方向に長い矩形に形成されている。
【００１０】
図１(ａ)は、しおり１０の、透明シート１２の表面１２ａから見た状態を示し、図１（ｂ）は、透明シート１２の裏面１２ｂから見た状態を示している。透明シート１２の裏面１２ｂには、透明シート１２の長手方向の一方の端部１２ｃ寄りの位置に、印刷部１４が設けられている。印刷部１４は、ドーナツ型に配置された１２星座のマークの中心に、いて座のイラストが設けられた絵柄が印刷されて形成されている。透明シート１２の他方の端部１２ｄ寄りの位置には、いて座の文字が日本語で印刷され、英語の文字が金属箔の箔押しにより表示された箔押し部１６が設けられている。印刷部１４のインキは、例えば紫外線硬化樹脂で作られている。印刷部１４のさらに外側面には、印刷部１４を覆って重ねられた円形の箔１８により箔押し部が設けられている。
【００１１】
透明シート１２の表面１２ａには、透明シート１２の長手方向のほぼ中心付近に、いて座の星図が金属箔により形成された箔押し部２０が設けられている。さらに、表面１２ａ一面を覆って、見る角度により色が異なって見える薄いフィルムが貼り付けられている。箔押し部２０は正面に位置して見え、それに加えて透明シート１２を透過して、箔押し印刷部１４、箔押し部１６、箔１８が視認される。
【００１２】
透明シート１２の裏面１２ｂからは、裏面１２ｂに設けられた箔１８と箔押し部１６が正面に位置して見え、それに加えて透明シート１２を透過して箔押し部２０が視認される。印刷部１４は箔１８に覆われて裏面１２ｂから見えないが、箔１８の、印刷部１４に重ねられている部分はエンボス部１８ａとなり、エンボス部１８ａは印刷部１４のインキの影響で箔１８に光の反射の具合で凹凸が形成され、立体的でエンボス調に見える。箔１８の、エンボス部１８ａ以外の部分は、箔１８が透明シート１２に転写された光沢部１８ｂとなり、凹凸がなくて光沢度が高く、エンボス部１８ａとのコントラストが大きい。
【００１３】
次に、この実施形態のしおり１０の作り方について説明する。まず、透明シート１２の表面１２ａと裏面１２ｂに、紫外線硬化樹脂で作られたインキで所望の絵柄を印刷し、紫外線照射によりインキを硬化させて印刷部１４等を形成する。インキの紫外線硬化樹脂の種類は、透明シート１２への接着性が良好なものを選択する。そして、透明シート１２の表面１２ａに箔押し部２０を形成し、透明シート１２の裏面１２ｂに、印刷部１４を覆うように重ねて箔１８を貼り付ける。また、箔押し部１６を形成する。箔押し部１６，２０および箔１８の形成方法は、転写箔を使用する。転写箔は、あらかじめ金属箔に接着剤２２が設けられ剥離シートが取り付けられたものである。接着剤２２は、塩化ビニル系またはアクリル系の透明なものである。この転写箔を所定の位置にセットして型を用いて熱圧着し、接着剤２２により透明シート１２に熱転写により貼り付け、箔押し部１６，２０、及び箔１８を転写する。また、表面１２ａには、薄いフィルムを貼り付ける。
【００１４】
この実施形態のしおり１０によれば、星占いの１２星座のうちの一つが描かれ、個人の誕生日に基づいて特定された星座が描かれたものを、利用者に配ることができる。この実施形態のしおり１０にはいて座が描かれているが、１２星座の他の星座も同様に作り、利用者の誕生日に該当する星座を選択することができる。また、印刷部１４は星座のイラストが設けられているため、箔１８の光沢により高級感や神秘的な雰囲気を演出し効果的である。印刷部１４は、透明シート１２の表面１２ａから見たときは箔１８の光沢が背景に重ねられ、裏面１２ｂから見たときは箔１８のエンボス部１８ａとして立体的に見え、裏面１２ｂと表面１２ａでは異なる印象となり、意匠性の高い表現が可能になる。箔１８の光沢部１８ｂは、凹凸がないため、光沢度が高い光沢面となり、エンボス部１８ａとのコントラストが高く、高級感がある。またしおり１０は薄型であるため、本のページに隙間無く確実に挟むことができる。そして、しおり１０は簡単な方法により安価に製造することができ、記念品や景品としても適している。
【００１５】
次にこの考案の第二実施形態について図３に基づいて説明する。なお、ここで、上記実施形態と同様の部材は同様の符号を付して説明を省略する。この実施形態のしおり２４の基材は透明シート１２であり、一方向に長い矩形に形成されている。
【００１６】
透明シート１２の表面１２ａには黒いインキ層２６が印刷され、透明シート１２の長手方向の一方の端部１２ｃ寄りの位置には、第一実施形態よりも大きいドーナツ型に配置された１２星座のマークの中心に、いて座のデザインが設けられた絵柄の白抜き部２８が設けられている。さらに、インキ層２６には、光沢がある金属粉が均一に分散している。インキ層２６の、透明シート１２の他方の端部１２ｄ寄りの位置には、いて座の文字が記された印刷部２９と、いて座の星図が描かれた箔押し部３０およびいて座の英語表記が描かれた箔押し部３２が設けられている。
【００１７】
透明シート１２の裏面１２ｂには、表面１２ａの白抜き部２８に対向する部分に円形の箔３４が貼り付けられている。箔３４の貼り付け方法は、転写箔を使用する。
【００１８】
図３（ａ）は、しおり２４の、透明シート１２の表面１２ａから見た状態を示している。ここでは、表面１２ａに設けられたインキ層２６と、インキ層２６表面に設けられた印刷部２９と箔押し部３０，３２は正面に位置して見え、それに加えてインキ２６の白抜き部２８から透明シート１２を透過して箔３４が視認される。
【００１９】
図３（ｂ）は、しおり２４の、透明シート１２の裏面１２ｂから見た状態を示している。ここでは、黒いインキ２６が透明シート１２を透過して見え、そこに箔３４が正面に位置して見える。
【００２０】
この実施形態のしおり２４によれば、星占いの１２星座のうちの一つが描かれ、個人の誕生日に基づいて特定された星座が描かれたものを、利用者に配ることができる。裏面１２ｂと表面１２ａでは異なる印象となり、特に表面１２ａから見ると白抜き部２９から箔３４が視認され、意匠性の高い表現が可能になる。黒いインキ層２６に金属粉が分散しているため、星等を連想させて白抜き部２８の絵柄に合い、強い印象を与えることができる。
【００２１】
なお、この考案のしおりによれば、上記各実施の形態に限定されず、透明シートの形状や大きさ、素材は適宜変更可能であり、各印刷部のインキの素材は、透明シートとの接着性が良好であれば自由に選択可能である。各印刷部のデザインは形状や配置、インキの色等、自由にデザインすることができ、また星座以外のデザインでもよい。しおりは複数枚、例えば２枚を一組にしてパッケージに入れて配布してもよい。このとき、第一実施形態のしおりと第二実施形態のしおりを組み合わせてもよい。
【図面の簡単な説明】
【００２２】
【図１】この考案の第一実施形態のしおりの表面を示す正面図（ａ）と裏面を示す正面図（ｂ）である。
【図２】この実施形態のしおりの部分拡大断面図である。
【図３】この考案の第二実施形態のしおりの表面を示す正面図（ａ）と裏面を示す正面図（ｂ）である。
【符号の説明】
【００２３】
１０  しおり
１２  透明シート
１４  印刷部
１６，２０  箔押し部
１８  箔
２２  接着剤